【手続補正書】
【提出日】平成21年5月28日(2009.5.28)
【手続補正１】
【補正対象書類名】特許請求の範囲
【補正対象項目名】全文
【補正方法】変更
【補正の内容】
【特許請求の範囲】
【請求項１】
見出語と説明情報とを対応付けて複数記憶する説明情報記憶手段と、
ユーザ操作により入力された入力文字に適合する見出語を前記説明情報記憶手段から検索し、対応する説明情報を読み出して表示する制御を行う入力見出語情報表示制御手段と、
表示制御された説明情報の中から、ユーザ操作により指定された検索対象文字に適合する見出語を指定見出語として前記説明情報記憶手段から検索し、対応する説明情報を読み出して表示する制御を行う指定見出語情報表示制御手段と、
前記検索対象文字を含む説明情報に対応する見出語及び前記指定見出語をそれぞれ検索見出語とし、その相互関係と対応付けて記憶する検索見出語記憶手段と、
この検索見出語記憶手段に記憶された検索見出語を、当該検索見出語に対応する相互関係に基づく所定の階層配置構成で一覧表示する制御を行う検索見出語一覧表示制御手段と
を備えることを特徴とする情報表示制御装置。
【請求項２】
前記検索見出語一覧表示制御手段により一覧表示された検索見出語のうち、一の検索見出語を指定する検索見出語指定手段と、
この検索見出語指定手段により指定された検索見出語に対応する説明情報を前記説明情報記憶手段から読み出し、当該読み出した説明情報を、前記検索見出語一覧表示制御手段による一覧表示と併せて表示する制御を行う説明情報併行表示制御手段と、
を更に備えることを特徴とする請求項１に記載の情報表示制御装置。
【請求項３】
前記説明情報併行表示制御手段は、表示制御する説明情報のうち、前記検索見出語記憶手段に記憶されている、前記検索見出語指定手段によって指定された検索見出語との相互関係を有する検索見出語と同一の文字列部分を、他と異なる表示形態で表示する制御を行う特別表示制御手段を有することを特徴とする請求項２に記載の情報表示制御装置。
【請求項４】
前記検索見出語記憶手段に新たな検索見出語が記憶される際に、当該新たな検索見出語の相互関係の相手先となる検索見出語を、ユーザ操作に従って前記検索見出語記憶手段の中から選択する相互関係先選択手段を更に備えることを特徴とする請求項１〜３の何れか一項に記載の情報表示制御装置。
【請求項５】
前記検索見出語一覧表示制御手段は、ユーザ操作によって、前記検索見出語記憶手段に記憶された検索見出語の表示又は非表示を相互関係の階層単位で切り替える切替表示制御手段を有することを特徴とする請求項１〜４の何れか一項に記載の情報表示制御装置。
【請求項６】
時刻を計時する計時手段を更に備え、
前記検索見出語記憶手段は、検索見出語を記憶する際に前記計時手段により計時された時刻を、当該検索見出語に対応付けて記憶する時刻情報記憶手段を有し、
ユーザ操作によって検索時刻が入力された際に、前記時刻情報記憶手段に記憶されている時刻が前記入力された検索時刻に該当する検索見出語を検索して表示する制御を行う時刻検索表示制御手段を更に備えることを特徴とする請求項１〜５の何れか一項に記載の情報表示制御装置。
【請求項７】
所定の通信回線を介して利用者端末と接続されるサーバにおいて、
見出語と説明情報とを対応付けて複数記憶する説明情報記憶手段と、
前記利用者端末から入力文字を受信する第１の受信手段と、
前記受信された入力文字に適合する見出語を前記説明情報記憶手段から検索し、対応する説明情報を読み出して前記利用者端末に送信する第１の送信手段と、
送信された説明情報の中の検索対象文字を前記利用者端末から受信する第２の受信手段と、
前記受信された検索対象文字に適合する見出語を指定見出語として前記説明情報記憶手段から検索し、対応する説明情報を読み出して前記利用者端末に送信する第２の送信手段と、
前記検索対象文字を含む説明情報に対応する見出語及び前記指定見出語をそれぞれ検索見出語とし、その相互関係と対応付けて記憶する検索見出語記憶手段と、
この検索見出語記憶手段に記憶された検索見出語を、当該検索見出語に対応する相互関係に基づく所定の階層配置構成で一覧表示させるための表示情報を前記利用者端末に送信する第３の送信手段と、
を備えることを特徴とするサーバ。
【請求項８】
コンピュータに、
見出語と説明情報とを対応付けて複数記憶する説明情報記憶機能と、
ユーザ操作により入力された入力文字に適合する見出語を前記説明情報記憶機能から検索し、対応する説明情報を読み出して表示する制御を行う入力見出語情報表示制御機能と、
表示制御された説明情報の中から、ユーザ操作により指定された検索対象文字に適合する見出語を指定見出語として前記説明情報記憶機能から検索し、対応する説明情報を読み出して表示する制御を行う指定見出語情報表示制御機能と、
前記検索対象文字を含む説明情報に対応する見出語及び前記指定見出語をそれぞれ検索見出語とし、その相互関係と対応付けて記憶する検索見出語記憶機能と、
この検索見出語記憶機能に記憶された検索見出語を、当該検索見出語に対応する相互関係に基づく所定の階層配置構成で一覧表示する制御を行う検索見出語一覧表示制御機能と
を実現させるためのプログラム。
【請求項９】
所定の通信回線を介して利用者端末と接続されるコンピュータに、
見出語と説明情報とを対応付けて複数記憶する説明情報記憶機能と、
前記利用者端末から入力文字を受信する第１の受信機能と、
前記受信された入力文字に適合する見出語を前記説明情報記憶機能から検索し、対応する説明情報を読み出して前記利用者端末に送信する第１の送信機能と、
送信された説明情報の中の検索対象文字を前記利用者端末から受信する第２の受信機能機能と、
前記受信された検索対象文字に適合する見出語を指定見出語として前記説明情報記憶機能から検索し、対応する説明情報を読み出して前記利用者端末に送信する第２の送信機能と、
前記検索対象文字を含む説明情報に対応する見出語及び前記指定見出語をそれぞれ検索見出語とし、その相互関係と対応付けて記憶する検索見出語記憶機能と、
この検索見出語記憶機能に記憶された検索見出語を、当該検索見出語に対応する相互関係に基づく所定の階層配置構成で一覧表示させるための表示情報を前記利用者端末に送信する第３の送信機能と、
を実現させるためのプログラム。
【手続補正２】
【補正対象書類名】明細書
【補正対象項目名】０００９
【補正方法】変更
【補正の内容】
【０００９】
以上の課題を解決するため、請求項１に記載の発明の情報表示制御装置は、
見出語と説明情報とを対応付けて複数記憶する説明情報記憶手段と、
ユーザ操作により入力された入力文字に適合する見出語を前記説明情報記憶手段から検索し、対応する説明情報を読み出して表示する制御を行う入力見出語情報表示制御手段と、
表示制御された説明情報の中から、ユーザ操作により指定された検索対象文字に適合する見出語を指定見出語として前記説明情報記憶手段から検索し、対応する説明情報を読み出して表示する制御を行う指定見出語情報表示制御手段と、
前記検索対象文字を含む説明情報に対応する見出語及び前記指定見出語をそれぞれ検索見出語とし、その相互関係と対応付けて記憶する検索見出語記憶手段と、
この検索見出語記憶手段に記憶された検索見出語を、当該検索見出語に対応する相互関係に基づく所定の階層配置構成で一覧表示する制御を行う検索見出語一覧表示制御手段と、
を備えることを特徴としている。
【手続補正３】
【補正対象書類名】明細書
【補正対象項目名】００１０
【補正方法】変更
【補正の内容】
【００１０】
そして、請求項８に記載の発明のプログラムは、コンピュータに、
見出語と説明情報とを対応付けて複数記憶する説明情報記憶機能と、
ユーザ操作により入力された入力文字に適合する見出語を前記説明情報記憶機能から検索し、対応する説明情報を読み出して表示する制御を行う入力見出語情報表示制御機能と、
表示制御された説明情報の中から、ユーザ操作により指定された検索対象文字に適合する見出語を指定見出語として前記説明情報記憶機能から検索し、対応する説明情報を読み出して表示する制御を行う指定見出語情報表示制御機能と、
前記検索対象文字を含む説明情報に対応する見出語及び前記指定見出語をそれぞれ検索見出語とし、その相互関係と対応付けて記憶する検索見出語記憶機能と、
この検索見出語記憶機能に記憶された検索見出語を、当該検索見出語に対応する相互関係に基づく所定の階層配置構成で一覧表示する制御を行う検索見出語一覧表示制御機能と、
を実現させるためのプログラムである。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
また、請求項２に記載の発明は、請求項１に記載の情報表示制御装置において、
前記検索見出語一覧表示制御手段により一覧表示された検索見出語のうち、一の検索見出語を指定する検索見出語指定手段と、
この検索見出語指定手段により指定された検索見出語に対応する説明情報を前記説明情報記憶手段から読み出し、当該読み出した説明情報を、前記検索見出語一覧表示制御手段による一覧表示と併せて表示する制御を行う説明情報併行表示制御手段と、
を更に備えることを特徴としている。
【手続補正６】
【補正対象書類名】明細書
【補正対象項目名】００１３
【補正方法】変更
【補正の内容】
【００１３】
また、請求項３に記載の発明は、請求項２に記載の情報表示制御装置において、
前記説明情報併行表示制御手段は、表示制御する説明情報のうち、前記検索見出語記憶手段に記憶されている、前記検索見出語指定手段によって指定された検索見出語との相互関係を有する検索見出語と同一の文字列部分を、他と異なる表示形態で表示する制御を行う特別表示制御手段を有することを特徴としている。
【手続補正７】
【補正対象書類名】明細書
【補正対象項目名】００１４
【補正方法】変更
【補正の内容】
【００１４】
また、請求項４に記載の発明は、請求項１〜３の何れか一項に記載の情報表示制御装置において、
前記検索見出語記憶手段に新たな検索見出語が記憶される際に、当該新たな検索見出語の相互関係の相手先となる検索見出語を、ユーザ操作に従って前記検索見出語記憶手段の中から選択する相互関係先選択手段を更に備えることを特徴としている。
【手続補正８】
【補正対象書類名】明細書
【補正対象項目名】００１５
【補正方法】変更
【補正の内容】
【００１５】
また、請求項５に記載の発明は、請求項１〜４の何れか一項に記載の情報表示制御装置において、
前記検索見出語一覧表示制御手段は、ユーザ操作によって、前記検索見出語記憶手段に記憶された検索見出語の表示又は非表示を相互関係の階層単位で切り替える切替表示制御手段を有することを特徴としている。
【手続補正９】
【補正対象書類名】明細書
【補正対象項目名】００１６
【補正方法】変更
【補正の内容】
【００１６】
また、請求項６に記載の発明は、請求項１〜５の何れか一項に記載の情報表示制御装置において、
時刻を計時する計時手段を更に備え、
前記検索見出語記憶手段は、検索見出語を記憶する際に前記計時手段により計時された時刻を、当該検索見出語に対応付けて記憶する時刻情報記憶手段を有し、
ユーザ操作によって検索時刻が入力された際に、前記時刻情報記憶手段に記憶されている時刻が前記入力された検索時刻に該当する検索見出語を検索して表示する制御を行う時刻検索表示制御手段を更に備えることを特徴としている。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】変更
【補正の内容】
【００１８】
また、請求項７に記載の発明は、所定の通信回線を介して利用者端末と接続されるサーバにおいて、
見出語と説明情報とを対応付けて複数記憶する説明情報記憶手段と、
前記利用者端末から入力文字を受信する第１の受信手段と、
前記受信された入力文字に適合する見出語を前記説明情報記憶手段から検索し、対応する説明情報を読み出して前記利用者端末に送信する第１の送信手段と、
送信された説明情報の中の検索対象文字を前記利用者端末から受信する第２の受信手段と、
前記受信された検索対象文字に適合する見出語を指定見出語として前記説明情報記憶手段から検索し、対応する説明情報を読み出して前記利用者端末に送信する第２の送信手段と、
前記検索対象文字を含む説明情報に対応する見出語及び前記指定見出語をそれぞれ検索見出語とし、その相互関係と対応付けて記憶する検索見出語記憶手段と、
この検索見出語記憶手段に記憶された検索見出語を、当該検索見出語に対応する相互関係に基づく所定の階層配置構成で一覧表示させるための表示情報を前記利用者端末に送信する第３の送信手段と、
を備えることを特徴としている。
【手続補正１２】
【補正対象書類名】明細書
【補正対象項目名】００１９
【補正方法】変更
【補正の内容】
【００１９】
そして、請求項９に記載の発明のプログラムは、所定の通信回線を介して利用者端末と接続されるコンピュータに、
見出語と説明情報とを対応付けて複数記憶する説明情報記憶機能と、
前記利用者端末から入力文字を受信する第１の受信機能と、
前記受信された入力文字に適合する見出語を前記説明情報記憶機能から検索し、対応する説明情報を読み出して前記利用者端末に送信する第１の送信機能と、
送信された説明情報の中の検索対象文字を前記利用者端末から受信する第２の受信機能機能と、
前記受信された検索対象文字に適合する見出語を指定見出語として前記説明情報記憶機能から検索し、対応する説明情報を読み出して前記利用者端末に送信する第２の送信機能と、
前記検索対象文字を含む説明情報に対応する見出語及び前記指定見出語をそれぞれ検索見出語とし、その相互関係と対応付けて記憶する検索見出語記憶機能と、
この検索見出語記憶機能に記憶された検索見出語を、当該検索見出語に対応する相互関係に基づく所定の階層配置構成で一覧表示させるための表示情報を前記利用者端末に送信する第３の送信機能と、
を実現させるためのプログラムである。
【手続補正１３】
【補正対象書類名】明細書
【補正対象項目名】００２０
【補正方法】変更
【補正の内容】
【００２０】
請求項１又は１０に記載の発明によれば、過去に説明情報を表示させた検索見出語を、対応する相互関係に応じて見易く表示することができるので、所望の検索見出語を容易且つ適切に選択することが可能となり、使い勝手を向上させることができる。
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】